(57)【要約】【課題】複写された用紙での読み取りをできなくして偽造を防止すること。【解決手段】用紙３１に筆跡情報の位置データを検出するために赤外線吸収インキでドットパターンを印刷した位置検出用マーカー３２と、位置検出用マーカー３２のドット周辺に赤外線反射インキでドットパターンを印刷した偽造防止用マーカー３３とを設ける。これにより、コピー機で複写した際に位置検出用マーカー３２と偽造防止用マーカー３３とが同じトナーで再現されて位置検出用マーカー３２のみを識別できなくなり、筆跡情報の位置データの読み取りを不能にする。【選択図】図２
0003121410.tif 000002
【実用新案登録請求の範囲】
【請求項１】
デジタルペンで筆記された筆跡情報を該デジタルペンで読み取るための用紙であって、
この用紙には、
上記筆跡情報の位置データを検出するために赤外線吸収インキでドットパターンを印刷した位置検出用マーカーと、
上記位置検出用マーカーのドット周辺に赤外線反射インキでドットパターンを印刷した偽造防止用マーカーと、が設けられている
ことを特徴とするデジタルペン用読み取り用紙。
【請求項２】
デジタルペンで筆記された筆跡情報を該デジタルペンで読み取るための用紙であって、
この用紙には、
上記筆跡情報の位置データを検出するために赤外線吸収インキでドットパターンを印刷した位置検出用マーカーと、
上記位置検出用マーカーのドット周辺に上記赤外線吸収インキと同色の赤外線反射インキでドットパターンを印刷した偽造防止用マーカーと、が設けられている
ことを特徴とするデジタルペン用読み取り用紙。
【請求項３】
デジタルペンで筆記された筆跡情報を該デジタルペンで読み取るための用紙であって、
この用紙には、
上記筆跡情報の位置データを検出するために赤外線吸収インキでドットパターンを印刷した位置検出用マーカーと、
上記位置検出用マーカーのドット周辺に赤外線反射インキで線、文字又は模様を印刷した偽造防止用マーカーと、が設けられている
ことを特徴とするデジタルペン用読み取り用紙。
【請求項４】
デジタルペンで筆記された筆跡情報を該デジタルペンで読み取るための用紙であって、
この用紙には、
上記筆跡情報の位置データを検出するために赤外線吸収インキでドットパターンを印刷した位置検出用マーカーと、
上記位置検出用マーカーのドット周辺に上記赤外線吸収インキと同色の赤外線反射インキで線、文字又は模様を印刷した偽造防止用マーカーと、が設けられている
ことを特徴とするデジタルペン用読み取り用紙。
【考案の詳細な説明】
【技術分野】
【０００１】
本考案はデジタルペンで筆跡情報を読み取るための用紙であって、特に複写による偽造を防止することができるデジタルペン用読み取り用紙に関する。
【背景技術】
【０００２】
近年、用紙にペンで筆記した文字等の筆跡情報を読み取ってデジタルデータ化し、そのデータをペンに内蔵されたメモリに保存する技術が開発されている（例えば特許文献１参照）。この技術は専用のデジタルペンと読み取り用紙を用いるものであるが、まずはその仕組みについて図７〜９を参照して説明する。
【０００３】
図７は従来のデジタルペンを示す断面図、図８は従来の読み取り用紙を示す全体図、図９は同用紙の部分拡大図である。
【０００４】
図７に示したデジタルペン１０はアノト方式を採用した専用ペンであって、ケース１１内にペン部１２と、カートリッジ１３と、赤外線カメラ１４と、プロセッサ１５と、メモリ１６と、通信ユニット１７と、バッテリ１８とが収容されている。
【０００５】
ペン部１２はカートリッジ１３に充填されたインキによって読み取り用紙２０に筆記を行う。赤外線カメラ１４はケース１１先端の開口部から読み取り用紙２０に向けて赤外光を照射する発光部と、読み取り用紙２０からの反射光を受光するＣＭＯＳセンサ等の受光部とを備え、ペン部１２付近の所定範囲内の赤外線画像を撮影する。プロセッサ１５は赤外線カメラ１４で撮影した赤外線画像から赤外線吸収レベルに応じて二値化したデータを取得し、そのデータから筆跡情報を認識してメモリ１６に記憶する。通信ユニット１７はBluetooth（登録商標）通信により外部機器との間でデータ通信を行う。なお、バッテリ１８はリチウムイオン電池からなる内部電源である。
【０００６】
図８に示した読み取り用紙２０はアノト方式を採用した専用紙であって、用紙２１の片面に筆跡情報の位置データを検出するための位置検出用マーカー２２が設けられている。
【０００７】
位置検出用マーカー２２は、図９に拡大して示したように、複数個のドット２２ａ，２２ａ，…を格子上の交点からずらして配置したユニークなドットパターンであり、用紙２１上での絶対座標を表わしている。各ドット２２ａはデジタルペン１０の赤外線カメラ１４から照射した赤外光を吸収する赤外線吸収特性が求められるため、一般に炭素系の黒色顔料を含むインキや赤外線吸収剤を含むインキで印刷される。なお、用紙２１の隅にはパール顔料を含むインキで偽造防止用マーカー２３が印刷されている。
【０００８】
デジタルペン１０を使って読み取り用紙２０に筆記を行うと、赤外線カメラ１４によって用紙２１上の赤外線画像が連続的に撮影される。このときプロセッサ１５は、赤外線画像に基づいて位置検出用マーカー２２の絶対座標で特定される文字の位置と移動軌跡を読み取り、これによって読み取り用紙２０にどのような情報が筆記されたのかという筆跡情報を認識する。そしてプロセッサ１５が認識した筆跡情報を上記のようにデジタルデータ化してメモリ１６に記憶するようになっている。
【０００９】
【特許文献１】特開２００４−３１０３５８号公報
【考案の開示】
【考案が解決しようとする課題】
【００１０】
上述したように、デジタルペン１０と読み取り用紙２０を使用すれば、用紙に筆記した内容をパソコンやスキャナ等の機器を用いなくてもデジタルデータ化できるという利便性がある。このため、例えば手書きの領収書や小切手等の各種帳票として好適であり、幅広い用途が考えられる。そこで、読み取り用紙２０をこのような金銭的価値を有する帳票に適用する場合には、特に用紙の偽造を防止することが重要な課題となる。
【００１１】
従来の読み取り用紙２０においては用紙２１上にパール顔料を含むインキで偽造防止用マーカー２３が印刷されているので、これをコピー機で複写しても、偽造防止用マーカー２３が有する光沢感まで再現することは非常に困難である。したがって、コピー機で複写した用紙については偽造防止用マーカー２３の複写部分を見れば偽造品であることを容易に判別でき、これにより偽造防止効果が得られるようになっている。
【００１２】
ところが、読み取り用紙２０をコピー機で複写した場合、位置検出用マーカー２２を構成するドットパターンはトナーで再現される。また、通常コピー機のトナーも赤外線吸収特性を有していることから、デジタルペン１０の赤外線カメラ１４から照射された赤外光を吸収する。このため、トナーで再現されたドットパターンであっても位置データを検出して筆跡情報をデジタルデータ化することが可能であり、その結果、真正な読み取り用紙と同様に使用できてしまう。したがって、デジタルペン１０に保存されたデジタルデータだけを見ても、そのデータが真正な用紙から読み取られたものなのか偽造された用紙から読み取られたものなのかを区別することができず、仮にデータの改ざんがあってもそれを見抜けないという問題があった。
【００１３】
本考案はこのような問題を解決するためになされたものであり、デジタルペンで筆記した筆跡情報のデジタルデータを読み取るためのデジタルペン用読み取り用紙について、特に複写によって偽造された用紙を使用できなくし、これにより読み取ったデータの信頼性を高めることを目的とする。
【課題を解決するための手段】
【００１４】
上記の目的を達成するため、本考案によるデジタルペン用読み取り用紙は、デジタルペンで筆記された筆跡情報を該デジタルペンで読み取るための用紙であって、この用紙には、上記筆跡情報の位置データを検出するために赤外線吸収インキでドットパターンを印刷した位置検出用マーカーと、上記位置検出用マーカーのドット周辺に赤外線反射インキでドットパターンを印刷した偽造防止用マーカーと、が設けられていることを特徴とする。
【００１５】
また、本考案によるデジタルペン用読み取り用紙は、デジタルペンで筆記された筆跡情報を該デジタルペンで読み取るための用紙であって、この用紙には、上記筆跡情報の位置データを検出するために赤外線吸収インキでドットパターンを印刷した位置検出用マーカーと、上記位置検出用マーカーのドット周辺に上記赤外線吸収インキと同色の赤外線反射インキでドットパターンを印刷した偽造防止用マーカーと、が設けられていることを特徴とする。
【００１６】
本考案において赤外線吸収インキとは、赤外線吸収特性を有しデジタルペンの赤外線カメラで読み取り可能なインキであって、例えば炭素系の黒色顔料を含有したインキや、補助剤として赤外線吸収剤を添加したインキを使用することができる。一方、赤外線反射インキとは、逆に赤外線反射特性を有しデジタルペンの赤外線カメラで読み取りできないインキであって、例えば赤外線反射顔料を含有したインキや、補助剤として赤外線反射剤を添加したインキを使用することができる。なお、偽造防止用マーカーを構成するドットパターンは位置検出用マーカーを構成するドットパターンと同じパターンであっても異なるパターンであってもよい。
【００１７】
また、本考案によるデジタルペン用読み取り用紙は、デジタルペンで筆記された筆跡情報を該デジタルペンで読み取るための用紙であって、この用紙には、上記筆跡情報の位置データを検出するために赤外線吸収インキでドットパターンを印刷した位置検出用マーカーと、上記位置検出用マーカーのドット周辺に赤外線反射インキで線、文字又は模様を印刷した偽造防止用マーカーと、が設けられていることを特徴とする。
【００１８】
また、本考案によるデジタルペン用読み取り用紙は、デジタルペンで筆記された筆跡情報を該デジタルペンで読み取るための用紙であって、この用紙には、上記筆跡情報の位置データを検出するために赤外線吸収インキでドットパターンを印刷した位置検出用マーカーと、上記位置検出用マーカーのドット周辺に上記赤外線吸収インキと同色の赤外線反射インキで線、文字又は模様を印刷した偽造防止用マーカーと、が設けられていることを特徴とする。
【００１９】
本考案において偽造防止用マーカーを構成する線は、直線や曲線を問わず、また罫線や枠であってもよい。
【考案の効果】
【００２０】
本考案のデジタルペン用読み取り用紙によれば、赤外線吸収インキで位置検出用マーカーが印刷され、位置検出用マーカーのドット周辺には赤外線反射インキで偽造防止用マーカーが印刷されている。そして、この読み取り用紙をコピー機で複写すると２種類のインキは区別されず、両方とも同じトナーで再現されてしまう。このため、デジタルペンの赤外線カメラで撮影された赤外線画像からは位置検出用マーカーと偽造防止用マーカーを識別できず位置検出用マーカーのみを検出できないので、デジタルペンのプロセッサが用紙上の位置データを取得できなくなる。
【００２１】
したがって、本考案の読み取り用紙を複写した用紙を使用しても筆跡情報を読み取ってデジタルデータ化することは不可能であり、複写による偽造を防止してデータの信頼性を高めることができるという効果がある。また、偽造防止用マーカーを文字や罫線を印刷するインキと同じにしておけば、刷色数を増やすことなく低コストで偽造防止機能を付加することができるという効果もある。
【考案を実施するための最良の形態】
【００２２】
以下、本考案の実施形態について、添付図面を参照して説明する。
【００２３】
［第１実施形態］
図１は第１実施形態のデジタルペン用読み取り用紙を示す全体図、図２は同用紙の部分拡大図、図３は同用紙を複写した用紙の部分拡大図である。
【００２４】
図１に示したデジタルペン用読み取り用紙（以下、単に「読み取り用紙」という。）３０はアノト方式の専用紙であって、図７に示したデジタルペン１０で筆記された筆跡情報を読み取るための用紙である。この読み取り用紙３０は普通紙等からなる用紙３１の表面全体に筆跡情報の位置データを検出するための位置検出用マーカー３２と、複写による偽造を防止するための偽造防止用マーカー３３とが一体となって設けられている。
【００２５】
位置検出用マーカー３２は、図２に拡大して示したように、複数個のドット３２ａ，３２ａ，…を約０．３ｍｍ間隔の格子上の交点から上下左右のいずれかの方向へ少しずつずらして配置したドットパターンである。つまり、６×６（１．８ｍｍ×１．８ｍｍ）の計３６個のドット３２ａの集合体からなるユニークなパターンが用紙３１上での絶対座標を表わしている。個々のドット３２ａはデジタルペン１０の赤外線カメラ１４から照射した赤外光を吸収するように、赤外線吸収インキで印刷されている。赤外線吸収インキとしては、例えば炭素系の黒色顔料を含有したインキや、補助剤として赤外線吸収剤を添加したインキを使用することができる。
【００２６】
偽造防止用マーカー３３は、本実施形態では位置検出用マーカー３２を構成するドット３２ａ，３２ａの間に複数個のドット３３ａ，３３ａ，…を均等に配置したドットパターンである。偽造防止用マーカー３３を構成するドットパターンは、位置検出用マーカー３２のドットパターンと異なるパターンであるが、同じパターンであってもよい。個々のドット３３ａは赤外線カメラ１４からの赤外光を反射するように赤外線反射インキで印刷されている。赤外線反射インキとしては、例えば赤外線反射顔料を含有したインキや、補助剤として赤外線反射剤を添加したインキを使用することができる。なお、目視によって偽造防止用マーカー３３のパターンを悟られないようにするために、赤外線反射インキは赤外線吸収インキと同色に設定されているのが好ましい。
【００２７】
本実施形態の読み取り用紙３０は以上のように構成されているが、この読み取り用紙３０を使用する際には、従来と同様にデジタルペン１０によって筆記を行うだけでよい。すなわち、デジタルペン１０を使って読み取り用紙３０に筆記を行うと、赤外線カメラ１４によって用紙３１上の６×６ドットの範囲内の赤外線画像が連続的に撮影される。
【００２８】
また、プロセッサ１５は、赤外線画像に基づいて位置検出用マーカー３２の絶対座標で特定される文字の位置と移動軌跡を読み取り、これによって読み取り用紙３０に筆記された筆跡情報を認識する。このとき赤外線カメラ１４から照射される赤外光は、位置検出用マーカー３２には吸収されるが偽造防止用マーカー３３には吸収されない。したがって、位置検出用マーカー３２によって検出される位置データに支障を来たすことはなく、筆跡情報を正確に認識することができる。そしてプロセッサ１５が認識した筆跡情報はデジタルデータ化されてメモリ１６に記憶される。
【００２９】
さらに、本実施形態の読み取り用紙３０によれば、複写による偽造を防止する効果がある。読み取り用紙３０を複写すると、位置検出用マーカー３２を構成する赤外線吸収インキと、偽造防止用マーカー３３を構成する赤外線反射インキは、図３に示したように同じトナーで複写されたドット３４ａ，３４ａ，…からなる一様なドットパターン３４で再現される。このため、トナーで複写されたドットパターン３４はマーカーの区別なく赤外線カメラ１４から照射された赤外光を吸収してしまい、プロセッサ１５が位置検出用マーカー３２と偽造防止用マーカー３３とを識別できなくなる。
【００３０】
このように、読み取り用紙３０を複写して使用した場合、位置検出用マーカー３２のみを検出することができず、用紙３１上での位置データを取得できなくなるので、用紙３１上に筆記された筆跡情報を読み取ってデジタルデータ化することは不可能である。したがって、複写された用紙では筆跡情報の読み取りが不能になるため、データの改ざん等の不正を防ぎ、データの信頼性を高めることができる。
【００３１】
［第２実施形態］
図４は第２実施形態のデジタルペン用読み取り用紙を示す全体図、図５は同用紙の部分拡大図、図６は同用紙を複写した用紙の部分拡大図である。なお、本実施形態において第１実施形態と同一の構成については同一符号を付してその詳細な説明を省略する。
【００３２】
本実施形態のデジタルペン用読み取り用紙（以下、単に「読み取り用紙」という。）３０−２は、用紙３１に位置検出用マーカー３２と偽造防止用マーカー３３とが設けられているが、偽造防止用マーカー３３の構成が第１実施形態のものと異なっている。
【００３３】
すなわち、図４及び５に示したように、偽造防止用マーカー３３は、位置検出用マーカー３２を構成するドットパターンの上に重なるようにして、文字ごとに独立した文字枠３３ｂと、複数行の線を引いた罫線３３ｃと、文字ごとの仕切りを共通化したブロック枠３３ｄとを設けたものである。これらの文字枠３３ｂ、罫線３３ｃ、ブロック枠３３ｄについても赤外線カメラ１４から照射された赤外光を反射するように赤外線反射インキで印刷されている。ここでも赤外線反射インキを赤外線吸収インキと同色に設定するのが好ましい。なお、本実施形態では偽造防止用マーカー３３を枠と罫線にしたが、文字や模様を赤外線反射インキで印刷してもよい。
【００３４】
本実施形態の読み取り用紙３０−２も複写による偽造を防止する効果がある。読み取り用紙３０−２を複写すると、位置検出用マーカー３２を構成する赤外線吸収インキと、偽造防止用マーカー３３を構成する赤外線反射インキは、図６に示したように同じトナーで複写されたドット３４ａ，３４ａ，…からなるドットパターンと文字枠３４ｂで再現される。また、図示していないが、罫線とブロック枠についても同様に同じトナーで複写される。このため、トナーで複写された偽造防止用マーカー３３は赤外線カメラ１４から照射された赤外光を吸収してしまい、プロセッサ１５が位置検出用マーカー３２と偽造防止用マーカー３３とを識別できなくなる。
【００３５】
このように、読み取り用紙３０−２を複写して使用した場合であっても、位置検出用マーカー３２のみを検出することができず、用紙３１上での位置データを取得できなくなるので、用紙３１上に筆記された筆跡情報を読み取ってデジタルデータ化することは不可能である。したがって、複写された用紙では筆跡情報の読み取りが不能になるため、データの改ざん等の不正を防ぎ、データの信頼性を高めることができる。
【００３６】
さらに、本実施形態によれば、枠や罫線を偽造防止用マーカー３３として設定したことにより、印色数を増やすことなく低コストで偽造防止機能を付加することができるという効果もある。
【図面の簡単な説明】
【００３７】
【図１】本考案の第１実施形態のデジタルペン用読み取り用紙を示す全体図。
【図２】図１に示す読み取り用紙のＡ部拡大図。
【図３】図１に示す読み取り用紙を複写した用紙のＡ部拡大図。
【図４】本考案の第２実施形態のデジタルペン用読み取り用紙を示す全体図。
【図５】図４に示す読み取り用紙のＢ部拡大図。
【図６】図４に示す読み取り用紙を複写した用紙のＢ部拡大図。
【図７】従来のデジタルペンを示す断面図。
【図８】従来の読み取り用紙を示す全体図。
【図９】図８に示す読み取り用紙のＣ部拡大図。
【符号の説明】
【００３８】
３０    デジタルペン用読み取り用紙
３１    用紙
３２    位置検出用マーカー
３２ａ  ドット
３３    偽造防止用マーカー
３３ａ  ドット
３３ｂ  文字枠
３３ｃ  罫線
３３ｄ  ブロック枠
【図１】
0003121410.tif 000003
【図２】
0003121410.tif 000004
【図３】
0003121410.tif 000005
【図４】
0003121410.tif 000006
【図５】
0003121410.tif 000007
【図６】
0003121410.tif 000008
【図７】
0003121410.tif 000009
【図８】
0003121410.tif 000010
【図９】
0003121410.tif 000011